(57)【要約】画像表示ユニット（１００）は、プラズマ表示パネルのような表示装置（４０６）に画像を幾つかのサブフィールド（２０４乃至２１８）で表示する。前記画像表示ユニットは、動きアーティファクトを減少するために動き補償を実行することができる。前記動き補償は前記サブフィールドに空間的なオフセットを適用することにより実行される。前記画像表示ユニットは、種々の粒度を持つオペランドに対して動き補償のための操作を実行するように構成される。ここで前記オペランドの粒度は、１つのサブフィールドに個々にからサブフィールドの群に同時にまでに渡る。前記画像表示装置の実施例は、前記動き補償の操作を実行するための前記オペランドの粒度を決定するために、所定の時間の間における計算手段（１０８）の利用可能な容量を見積もる分析器（１１０）を有する。
2004519709.tif 000002
【特許請求の範囲】
【請求項１】
表示装置に複数のサブフィールドと呼ばれる周期で画像の画素を表示する画像表示ユニットであって、各前記サブフィールドにおいて、夫々の輝度レベルを生成することが可能であり、動き補償のためにサブフィールドに操作を実行する計算手段を有する画像表示ユニットにおいて、前記計算手段は様々な粒度を持つオペランドに動き補償のための操作を実行するように構成され、ここで前記オペランドの粒度は、１つのサブフィールドを個々にからサブフィールドの群を同時にまでに渡ることを特徴とする画像表示ユニット。
【請求項２】
前記動き補償のための操作を実行するための前記オペランドの粒度を決定するために、所定の時間の間について前記計算手段の利用可能な容量を見積もる分析器を有することを特徴とする、請求項１に記載の画像表示ユニット。
【請求項３】
前記画像の画素を、動き補償のための比較的少ない操作が実行されるべきである画素の第１のサブセットと、動き補償のためのより多くの操作が実行されるべきである画素の第２のサブセットとに分類するように構成されることを特徴とする、請求項１又は２に記載の画像表示ユニット。
【請求項４】
画素の前記サブフィールドを、動き補償のための比較的少ない操作が実行されるべきであるサブフィールドの第１の群と、動き補償のためのより多くの操作が実行されるべきであるサブフィールドの第２の群とに分類するように構成されることを特徴とする、請求項１又は２に記載の画像表示ユニット。
【請求項５】
前記サブフィールドの群は、画素のブロックに属することを特徴とする、請求項１又は２に記載の画像表示ユニット。
【請求項６】
前記サブフィールドの群は、１つの画素のサブフィールドに対応することを特徴とする、請求項１又は２に記載の画像表示ユニット。
【請求項７】
前記サブフィールドの群は、１つの画素の幾つかのサブフィールドに対応することを特徴とする、請求項１又は２に記載の画像表示ユニット。
【請求項８】
前記サブフィールドの群は、時間的に比較的接近したサブフィールドを含むことを特徴とする、請求項７に記載の画像表示ユニット。
【請求項９】
前記サブフィールドの群は、比較的高い輝度レベルを持つサブフィールドと、少なくとも１つの比較的低い輝度レベルを持つサブフィールドとを含むことを特徴とする、請求項７に記載の画像表示ユニット。
【請求項１０】
画像を表示する画像表示装置であって、
前記画像を表す信号を受信する受信手段と、
前記画像を表示する表示装置と、
前記表示装置に複数のサブフィールドと呼ばれる周期で前記画像の画素を表示する画像表示ユニットとを有し、ここで該画像表示ユニットは、各前記サブフィールドにおいて夫々の輝度レベルを生成することが可能であり、動き補償のためにサブフィールドに操作を実行する計算手段を有する画像表示装置において、前記計算手段は様々な粒度をもつオペランドに動き補償のための操作を実行するように構成され、ここで前記オペランドの粒度は、１つのサブフィールドを個々にからサブフィールドの群を同時にまでに渡ることを特徴とする画像表示装置。
【請求項１１】
表示装置に複数のサブフィールドと呼ばれる周期で画像の画素を表示する方法であって、各前記サブフィールドにおいて夫々の輝度レベルを生成することが可能であり、前記サブフィールドに対する動き補償ステップを有する方法において、前記動き補償ステップは様々な粒度を持つオペランドに対して実行され、ここで前記オペランドの粒度は、１つのサブフィールドを個々にからサブフィールドの群を同時にまでに渡ることを特徴とする方法。
【請求項１２】
前記動き補償のための操作を実行するための前記オペランドの粒度を決定するために、所定の時間の間について計算手段の利用可能な容量を見積もるステップを有することを特徴とする、請求項１１に記載の方法。
【発明の詳細な説明】
【０００１】
【発明の属する技術分野】
本発明は、表示装置に複数のサブフィールドと呼ばれる周期で画像の画素を表示する画像表示ユニットであって、各前記サブフィールドにおいて、夫々の輝度レベルを生成することが可能であり、動き補償のためにサブフィールドに操作を実行する計算手段を有する画像表示ユニットに関する。
【０００２】
本発明は更に、画像を表示する画像表示装置であって、
前記画像を表す信号を受信する受信手段と、
前記画像を表示する表示装置と、
前記表示装置に複数のサブフィールドと呼ばれる周期で前記画像の画素を表示する画像表示ユニットとを有し、ここで該画像表示ユニットは、各前記サブフィールドにおいて夫々の輝度レベルを生成することが可能であり、動き補償のためにサブフィールドに操作を実行する計算手段を有する画像表示装置に関する。
【０００３】
本発明は更に、表示装置に複数のサブフィールドと呼ばれる周期で画像の画素を表示する方法であって、各前記サブフィールドにおいて夫々の輝度レベルを生成することが可能であり、前記サブフィールドに対する動き補償ステップを有する方法に関する。
【０００４】
【従来の技術】
最初の段落に記載した種類の画像表示装置は、「Ｍｏｔｉｏｎ Ｃｏｍｐｅｎｓａｔｉｏｎ ｉｎ Ｐｌａｓｍａ Ｄｉｓｐｌａｙｓ」（「Ｐｒｏｃｅｅｄｉｎｇｓ ｏｆ Ｔｈｅ Ｆｉｆｔｈ Ｉｎｔｅｒｎａｔｉｏｎａｌ Ｄｉｓｐｌａｙ Ｗｏｒｋｓｈｏｐｓ」、ＩＤＷ１９９８、５４３−５４６頁）と題された論文より知られている。この論文中には、現在のプラズマ表示パネルにおいて、邪魔な動きアーティファクト（ｍｏｔｉｏｎ
ａｒｔｉｆａｃｔ）がサブフィールド輝度のスケーリング（ｓｕｂ−ｆｉｅｌｄ ｉｌｌｕｍｉｎａｔｉｏｎ ｓｃａｌｉｎｇ）による動的な偽色（ｆａｌｓｅ ｃｏｌｏｒ）又は疑似色（ｐｓｅｕｄｏ−ｃｏｌｏｒ）の出現として知覚されることが記載されている。前記論文は、これらのアーティファクトを減少するために多くの方法が提案されたことの概要を示す。例えば、表示されるサブフィールドの順序を変更すること、大きなサブフィールドを分割するためビット又はサブフィールド分割を適用すること、及び等しい輝度レベルを持つ多数のサブフィールドによって偽色を分散することである。ここで、等しい輝度レベルはこれらのサブフィールドの異なる組み合わせによって生成される。これらの方法はどれも、この問題の基本的な原因を除去しない。これらの問題は、小さな空間的輝度勾配を持つ領域における影響を紛らそうとするのみである。前記論文は、動きアーティファクトの問題の分析を提供する。動きアーティファクトはそれ自身、観測者の目による動きの追跡と表示される種々のサブフィールドの間の時間差とによるものである。動きの追跡によって、目の一位置において知覚されるべき種々のサブフィールドは異なる位置において知覚され、近くの画素から成る異なるサブフィールドは網膜の同じ位置に累積され、意図されるものの代わりに知覚される輝度レベルに寄与する。観測者が動く物体に集中する場合、該観測者は動きの追跡を開始する。前記物体は網膜の丁度一位置上に保持される。該物体の速度
【数１】
2004519709.tif 000003
のため、ある時間の間該物体を追う間にある距離が移動される。該同じ物体がプラズマ表示パネル上で観測される場合、観測される位置は該物体の出発位置
【数２】
2004519709.tif 000004
及び観測されるサブフィールド
【数３】
2004519709.tif 000005
の時間差、Δｔｎによって決定される。前記観測者によってこの動きが追跡される場合、この位置において観測される輝度
【数４】
2004519709.tif 000006
はスクリーン上の観測される位置によって決定される。該値は、位置
【数５】
2004519709.tif 000007
におけるサブフィールド
【数６】
2004519709.tif 000008
がオンであるか否か、及び該サブフィールドの輝度レベルＷｎに依存する。即ち、
【数７】
2004519709.tif 000009
である。ここで、Δｔｎ＝ｔｎ−ｔ０はサブフィールドｎと参照時間ｔ０との間の時間差であり、速度
【数８】
2004519709.tif 000010
はフィールド周期毎の画素で表現される。
【０００５】
前記論文は、動きアーティファクトの問題の解法、即ち動き補償（ｍｏｔｉｏｎ ｃｏｍｐｅｎｓａｔｉｏｎ）をも提供する。動き補償は、鮮明さの減少及び詳細の消失なく、動的な偽輪郭（ｆａｌｓｅ
ｃｏｎｔｏｕｒｉｎｇ）及び偽色の出現を減少させることができる。動き補償は、サブフィールドが生成されている時に、及び見られている位置において観測されている表示パネル上の位置で正確に追跡されている一画素のサブフィールド値を位置決めしようとするものである。これらのサブフィールドを正確な位置に配置することができるように、空間的なオフセット
【数９】
2004519709.tif 000011
が各サブフィールド
【数１０】
2004519709.tif 000012
に与えられる必要があることは式１から推測できる、輝度：
【数１１】
2004519709.tif 000013
に帰着する。アーティファクトを回避するため、
【数１２】
2004519709.tif 000014
は、
【数１３】
2004519709.tif 000015
となるように選択される。
ここで、
【数１４】
2004519709.tif 000016
は整数値に丸められた水平及び垂直方向の変位であり、
【数１５】
2004519709.tif 000017
は丸め誤差である。画素の一部分はスイッチオン・オフされることができないため、サブフィールドは整数個の画素に渡って表示される必要がある。各サブフィールドについての空間的なオフセット
【数１６】
2004519709.tif 000018
は、対応する画素の動きベクトル
【数１７】
2004519709.tif 000019
を利用して、以下のように算出されることができる：
【数１８】
2004519709.tif 000020
ここでＴｆｉｅｌｄは１フィールド周期の時間を示す。
【０００６】
【発明が解決しようとする課題】
動き補償された画像、即ち空間的に訂正されたサブフィールドを達成するために必要とされる操作の数は、比較的大きい。該操作は、空間的に訂正されたサブフィールドを決定するためのメモリアクセス及びプロセッサ算出を含む。特にプログラム可能なプロセッサ構成の場合は、この比較的大きい数の操作は大きなコンピュータ資源を必要とし、比較的高いコストに帰着する。
【０００７】
本発明の第１の目的は、画質の減少がない又は制限された可変の数の操作を実行する、最初の段落に記載された種類の画像表示ユニットを提供することにある。
【０００８】
本発明の第２の目的は、かような画像表示ユニットを有する画像表示装置を提供することにある。
【０００９】
本発明の第３の目的は、画質の減少がない又は制限された、比較的少ない可変の数の操作を持つ、最初の段落に記載された種類の方法を提供することにある。
【００１０】
【課題を解決するための手段】
本発明の第１の目的は、計算手段は様々な粒度を持つオペランドに動き補償のための操作を実行するように構成され、ここで前記オペランドの粒度は、１つのサブフィールドに個々にからサブフィールドの群に同時にまでに渡ることにおいて達成される。該画像表示ユニットは夫々のサブフィールドに個々に空間的なオフセットを与えるように、又はサブフィールドの群に同時に空間的なオフセットを与えるように構成される。表示パネルによって視覚化されるべき画像の画素は、メモリ装置にデジタル形式で保存されても良い。メモリ中のバイトはサブフィールドデータを含み、各ビットは対応するサブフィールドが特定の画素位置においてオンであるかオフであるかを決定する。１バイトで８個の独立なサブフィールドが制御されることができる。他の長さ、例えば１０又は１２の長さのワードも利用されることができることに留意されたい。動き補償を実行することは、目的の画像が元の画像から得られることを意味する。前記元の画像中のサブフィールドを表すビットは、前記元の画像を保存するメモリ装置から取得され、目的の画像を保存するメモリに保存される。空間的なオフセットは、前記ビットの論理アドレスを変更することにより、前記ビットに適用されることができる。ビット又はバイトをコピーすることは、多くのコンピュータ資源を必要としない操作である。しかしながら、個々のビット又はビットにアクセスすることは、重大なメモリ送信のオーバーヘッドを引き起こし得る。多くのメモリ装置は、１回のデータアクセス要求に、幾つかのバイトの論理サイズを持つデータブロックが返されるように構成されている。前記返されたデータブロックの１つのビットだけが必要とされる場合、多くのメモリのバンド幅が浪費される。一般に、動き補償はオペランドのタイプと無関係に同一の数の操作を必要とする。それ故、動き補償のためのオペランドの粒度（ｇｒａｎｕｌａｒｉｔｙ）が操作の総数を決定する。前記オペランドは、
・サブフィールドに対応するビット、
・１画素の幾つかのサブフィールドに対応するビットの群、
・例えば同じ輝度レベルを持つ幾つかの画素のサブフィールドに対応するビットの群、
・１画素のサブフィールドに対応するバイト、
・画素の群のサブフィールドに対応するバイトの群、
であり得る。
【００１１】
動き補償の可能な最も高い質は、細かいオペランド、即ちビットの場合に達成される。本発明による画像表示ユニットは、利用可能なコンピュータ資源を利用してスケーラビリティを可能にするという利点を持つ。利用可能なコンピュータ資源の容量が比較的大きい場合、比較的高い質の動き補償が達成されることができる。
【００１２】
本発明による画像表示ユニットの一実施例は、前記動き補償のための操作を実行するための前記オペランドの粒度を決定するために、所定の時間の間について前記計算手段の利用可能な容量を見積もる分析器を有する。一般に、コンピュータ資源は種々のタスクを実行するために利用されることができる。夫々が何らかのタスクを担当している幾つかのデータ処理ユニットを有するシステムがあり得る。本実施例の画像表示ユニットは、システムのユニットの１つである。本システムは、種々のデータ処理ユニットによって共有されることができるコンピュータ資源、例えばメモリ及びプロセッサを含む。同時に実行されることができるタスクの数は、数ある中でも、前記共有されたコンピュータ資源のサイズと前記種々のタスクを実行するためのコンピュータ資源の利用のための要求によって制限される。このことは、比較的低いコンピュータ資源利用を持つように構成されたユニットが有利であることを意味する。ユニットによるコンピュータ資源への実際の要求は時間によって変化可能であり得る。その結果、前記システム中の他のユニットのための利用可能なコンピュータ資源も一定ではない。本発明による画像表示ユニットの利点は、該画像表示ユニットのために利用可能なコンピュータ資源に基づき動き補償のための戦略を適応させることができることである。本実施例の画像表示ユニットは、所定の時間の間利用可能なコンピュータ資源を見積り、それに基づき、達成可能な最良の質で前記動き補償を実行するために前記オペランドの粒度を決定する。コンピュータ資源の利用可能性についての情報も外部手段によって提供されても良い。前の画像について実行される計算は、以降の画像のためのコンピュータ資源への要求を決定するために利用されることができる。動き補償は、群当たりのサブフィールドの数又はサブフィールドの輝度レベルと無関係に同一の数の操作を要求する。可能なコンピュータ資源が既知である場合、即ち実行されることができる操作の数が既知である場合、補償されることができる群の数から見積りが為されることができる。このことは前記オペランドの粒度、即ち群ごとのサブフィールドの数を決定する。その結果、本実施例の画像表示ユニットは、比較的高いコンピュータ資源利用と結合した比較的高い質の動き補償の、比較的高くないコンピュータ資源利用と結合した比較的高くない質の動き補償に対するトレードオフを生成するため、利用可能なコンピュータ資源を利用して柔軟なものとなる。
【００１３】
本発明による画像表示ユニットの一実施例は、前記画像の画素を、動き補償のための比較的少ない操作が実行されるべきである画素の第１のサブセットと、動き補償のためのより多くの操作が実行されるべきである画素の第２のサブセットとに分類するように構成される。前記画素の第１のサブセットは動き補償を必要とせず、前記第２のサブセットは動き補償を必要とする。前記第１のサブセットの画素は、映された場面中の動いていない物体に属していても良い。動きが検出されない、即ち
【数１９】
2004519709.tif 000021
である画素は動き補償される必要はない。動きが検出されない画素に対応するバイトは、元の画像に関連するメモリから、目的の画像に関連するメモリに直接コピーされることができる。これらの画素には更なる処理は必要とされない。観測される画像は以下に従うことは式１から推測されることができる。
【数２０】
2004519709.tif 000022
これは丁度、意図されたように１つの画素についてのサブフィールドの結合である。同様に、映された前記場面中で比較的高速に動く物体に属する画素は、動き補償を必要としないセットの一部であり得る。これらの画素に対する動き補償の目に見える効果は無視できるものとなり得る。
【００１４】
本発明による画像表示ユニットの一実施例は、画素の前記サブフィールドを、動き補償のための比較的少ない操作が実行されるべきであるサブフィールドの第１の群と、動き補償のためのより多くの操作が実行されるべきであるサブフィールドの第２の群とに分類するように構成される。前記サブフィールドの第１のサブセットは動き補償されず、前記サブフィールドの第２のサブセットは動き補償される。前記サブフィールドの第１のサブセットのサブフィールドに対応するビットは、元の画像に関連するメモリから、目的の画像に関連するメモリへ直接コピーされることができる。最も高い輝度レベルを持つサブフィールドは判断の基準として考慮される。それ故、このサブフィールドは正しい空間的な位置に表示される。
【数２１】
2004519709.tif 000023
であることに留意されたい。観測される画像は式５に従うことは、式１から推測されることができる。判断の基準として考慮されるサブフィールドに対応するビットは、元の画像に関連するメモリから、目的の画像に関連するメモリへ直接コピーされることができる。このビットに対しては更なる処理は必要とされない。前記画像表示ユニットは、２番目に高いサブフィールドから最も低い輝度レベルまで重要度の順に、サブフィールドに対応する残りのビットをシフトする、即ち空間的なオフセットを適用する。十分なコンピュータ資源が利用可能ではない場合、この処理は任意の時点において終了されることができる。この場合、最も高い輝度レベルを持つサブフィールドが処理される。前記目的の画像を表すデータを保存するメモリ装置は、元の画像を表すデータのそのままのコピーを作成することにより初期化されることに留意されたい。
【００１５】
本発明による画像表示ユニットの一実施例は、前記サブフィールドの群は、画素のブロックに属することを特徴とする。このようにして、動き補償が画素のブロックに適用される。かような画素のブロックに合致するデータの論理的なサイズは、画素を保持するメモリ装置への接続、即ちメモリバスのバンド幅、又はバーストモードにおいてアクセスされることができるメモリ装置のデータ単位の物理サイズ若しくは動きベクトルブロックのサイズに合致する。
【００１６】
本発明による画像表示ユニットの一実施例は、前記サブフィールドの群は、１つの画素のサブフィールドに対応することを特徴とする。かような群に合致するデータの論理サイズは、例えば１バイトの１つのワードに等しくても良い。バイトはコンピュータの基本的なオペランドのタイプである。この場合、多くの操作が非常に効率良く実行されることができる。
【００１７】
本発明による画像表示ユニットの一実施例は、前記サブフィールドの群は、１つの画素の幾つかのサブフィールドに対応することを特徴とする。このことは、１つの画素のサブフィールドが幾つかの群に渡って広がることを意味する。１つの画素のサブフィールドをこれらの群に分割するため、少なくとも２つの戦略がある。これらの戦略は、以下の２つの実施例の説明において概略される。群のタイミングは、群のメンバについて平均化され、又は最も高い輝度レベルを持つこの群のサブフィールドによって決定されることができる。この結果、適用されるべき空間的なオフセットは、最も高い輝度レベルを持つこの群のサブフィールドによって夫々決定された、群のメンバについての重み平均に基づく。
【００１８】
本発明による画像表示ユニットの一実施例は、前記サブフィールドの群は、時間的に比較的接近したサブフィールドを含むことを特徴とする。この場合、可能な最も高い動き補償を達成するために、この群の個々のサブフィールドに適用されるべき空間的なオフセットにおける差分は、比較的小さいことに留意されたい。この場合良い解法は、前記群のメンバについての平均に群のタイミングの基礎を置くことである。映された場面中の物体の動きが比較的低速である場合、種々のサブフィールドについて必要とされる空間的なオフセットの間の差異は、１画素よりも低くなり得る。式ではこのことは以下のように表される：
【数２２】
2004519709.tif 000024
本発明による画像表示ユニットの一実施例は、前記サブフィールドの群は、比較的高い輝度レベルを持つサブフィールドと、少なくとも１つの比較的低い輝度レベルを持つサブフィールドとを含むことを特徴とする。この場合の良い解法は、最も高い輝度レベルを持つこの群のサブフィールドに群のタイミングの基礎を置くことである。その結果、画素の全体の輝度に最も寄与するサブフィールドが達成可能なだけ良く補償される。
【００１９】
本発明の第２の目的は、画像表示装置が前記画像表示ユニットを有することにおいて達成される。
【００２０】
本発明の第３の目的は、１つのサブフィールドを個々にからサブフィールドの群を同時に、にまでに渡るオペンランドの粒度を持つような、様々な粒度を持つオペランドに動き補償ステップが実行されることにおいて達成される。
【００２１】
本発明による表示ユニット、装置及び方法のこれらの及び他の態様は、以下に説明される実装及び実施例並びに添付する図より明らかになり、これらに関して参照することにより理解されるであろう。
【００２２】
【発明の実施の形態】
図１は本発明による画像表示ユニット１００の実施例を模式的に示す。図１はメモリ装置１０２も示す。本実施例においては該装置は画像表示ユニット１００の一部ではない。しかしメモリ装置を有する実施例もあり得る。画像表示ユニット１００は入力コネクタ１１２によって元の画像を表す信号を入力として受信する。画像表示ユニット１００は、出力コネクタ１１４において、目的の画像をあらわす信号を出力として供給する。メモリ装置１０２は前記２つの画像を表すデータを保持する。処理手段１０８は元の画像を保存しているメモリ位置１０４からデータを受信する。次いで該処理手段は、１以上のサブフィールドを動き補償するため、空間的なオフセットを適用することができる。最終的に、処理手段１０８は目的の画像を保存するメモリ位置１０６にデータを保存する。図３において、動き補償のための操作がより詳細に概説されている。表示ユニット１００は任意に、利用可能なコンピュータ資源の容量を分析するように構成された分析器１１０を有する。
【００２３】
図２は、８個のサブフィールドを持つフィールド周期２０２を模式的に示す。フィールド周期２０２は、単一の画像が表示パネルに表示される周期である。本例においては、フィールド周期２０２はサブフィールド２０４乃至２１８から成る。サブフィールド、例えば２０８においては、表示パネルのセルが幾らかの量の光を生成するためにスイッチオンされる。各サブフィールド２０４乃至２１８は、全てのセルのメモリが同時に消去される消去フェーズ２２０から始まる。サブフィールド２０８における次のフェーズは、光の放射のためにスイッチオンされるべきセルが調節される、アドレシングフェーズ２２２である。次いで、維持フェーズと呼ばれるサブフィールド２０８の第３のフェーズ２２４において、維持パルスが前記セルに適用される。このことは、アドレシングされた前記セルに、前記第３のフェーズの間光を放射させる。これらのフェーズの構成は図２に示される。ここで時間は左から右へ経過する。種々のサブフィールドについての時間ｔ０乃至ｔ７の時点も示されている。幾つかの表示パネルにおいては、サブフィールドは消去フェーズで始まる代わりに終わることに留意されたい。しかしながらこのことは、どちらの場合にも適用されることができる本発明には重要なことではない。前記消去フェーズは幾つかのサブフィールド方式については存在しない場合もある。
【００２４】
図３は、本発明の原理を示す。動き補償を実行することは、目的の画像が元の画像から得られることを意味する。図３において、前記元の画像を表すデータを保持するメモリ装置３０２が示される。図３において、前記目的の画像を表すデータを保持するメモリ装置３０４が示される。メモリ中の例えばバイト３０６のようなバイトは、サブフィールドデータを含み、例えばビット３０８のような各ビットは、特定の画素位置において対応するサブフィールドがオンであるかオフであるかを規定する。１つのバイトで、８個の独立なサブフィールドが制御されることができる。輝度レベル２ｎを持つサブフィールドに対応するビットｎを考える。ここでｎ∈〔０．．．７〕とする。このとき例えば、ビット７は輝度レベル２７＝１２８を持つサブフィールドに対応する。画素について動き補償が必要とされない場合、対応するバイト３１０は、前記元の画像を保存するメモリ装置３０２から、前記目的の画像を表すメモリ装置３０４へ直接コピーされることができる。１つの画素からのサブフィールドが同一の空間的なオフセットを用いて補償される場合、対応するバイト３１２は、前記元の画像を保存するメモリ装置３０２から、前記目的の画像を表すメモリ装置３０４にコピーされることができる。しかしながら、前記画素の論理アドレスは変更される、即ち前記空間的なオフセットと関連づけられる。動き補償がサブフィールドについて実行されない場合、前記目的の画像を保存するメモリ位置におけるビットは、前記元の画像を保存するメモリ位置からの対応するビットの直接コピーとなり得る。動き補償がサブフィールドに個々に又は８個以下の要素を持つサブフィールドのグループに実行される場合、前記目的の画像の画素に対応するバイト３１４は、前記元の画像の幾つかの画素３１６乃至３１８からのビットに基づくものとなり得る。
【００２５】
サブフィールドについての前記空間的なオフセットは、動きベクトルを利用して算出されることができる。動きベクトルは、例えば「Ｌａｙｅｒｅｄ Ｎａｔｕｒａｌ Ｍｏｔｉｏｎ」（ＬＮＭ）動き推定器のような動き推定器によって計算された動きベクトルから得られることができる。このＬＮＭは、Ｒ．Ｊ．Ｓｃｈｕｔｔｅｎらによる「Ｌａｙｅｒｅｄ Ｎａｔｕｒａｌ Ｍｏｔｉｏｎ」（「Ｐｈｉｌｉｐｓ
Ｊｏｕｒｎａｌ Ｒｅｓｅａｒｃｈ」、Ｖｏｌ．５２、Ｎｏ．２、１９９８年）に記載されている。この推定器は、画像中の各８ｘ８のブロックの画素について動きベクトル
【数２３】
2004519709.tif 000025
を与える。この場合、このブロック中の全ての画素について動きベクトル
【数２４】
2004519709.tif 000026
は等しく
【数２５】
2004519709.tif 000027
である。「Ｌａｙｅｒｅｄ Ｎａｔｕｒａｌ Ｍｏｔｉｏｎ」は物体ベースの動き推定器を特徴とする。該推定器は、画像中の物体に属する８ｘ８画素のブロックを、層の１つに割り当てる。例えば、前記推定器が３つの層を持つ場合、動かない１つの物体及び異なる速度で動く２つの物体といった、少なくとも３つの異なる物体を区別することができる。動き補償は画素のブロックに対して実行されることができる。特に該ブロックの個々の画素の前記動きベクトルが等しい場合である。前記目的の画像中の各８ｘ８ブロックＤは、前記元の画像からの８ｘ８ブロックＳから構成される。この構成は、
【数２６】
2004519709.tif 000028
によって与えられる。ここでｘ及びｙは８ｘ８ブロック内のインデクスであり、ｎはサブフィールドまたはビット位置を示す。各サブフィールドについて、前記対応するサブフィールドの動きベクトルに渡ってシフトされた元のメモリからデータが読み込まれる。ビットに関するＡＮＤ操作（＆）は、該サブフィールドに対応するビットを選択する。これらのビットは加算によって併合される。サブフィールドは１つの群に結合されても良い。例えば、ビット０とビット２とが結合されることができる。この場合、式６のマスクは、該サブフィールド群についての両方のビットを選択するため、２ｎから２０及び２２に変わる。
【００２６】
図４は、本発明による画像表示装置の構成要素を示す。画像表示装置４００は、表示されるべき画像を表す信号を受信する受信手段４０２を持つ。前記信号はアンテナ又はケーブルを介して受信される放送信号であっても良いが、ＶＣＲ（Ｖｉｄｅｏ Ｃａｓｓｅｔｔｅ Ｒｅｃｏｒｄｅｒ）又はＤＶＤ（Ｄｉｇｉｔａｌ
Ｖｅｒｓａｔｉｌｅ Ｄｉｓｋ）のような記録装置からの信号であっても良い。画像表示装置４００は更に、前記画像を処理する画像表示ユニット４０４及び前記処理された画像を表示する表示装置４０６を持つ。表示装置４０６はサブフィールドにおいて駆動されるタイプのものである。画像表示ユニット４０４は図１に関係して説明されたように実装される。
【００２７】
図５は、一画像について、前記画像を補償するために利用されるときの前記オペランドの粒度を示す。画像５０２は５０４乃至５１０によって参照される幾つかの領域に分割される。前記動き補償のためのオペランドの粒度は種々の領域について異なる。
・５０６で参照される領域からの全てのサブフィールドは個々に補償される。
・領域５１０における動き補償は、オペランドとして画素のブロックのサブフィールドを用いて実行された。
・領域５０４における動き補償は、オペランドとして個々の画素のサブフィールドを用いて実行された。
・領域５０８における動き補償は、オペランドとして夫々４つの要素から成るサブフィールドの群を用いて実行された。
【００２８】
実際には、前記画像は前記動き補償が比較的高い質で実行される領域と、前記動き補償はより高くない質で実行される領域とに分割される。
【００２９】
上述の実施例は本発明を限定するものではなく説明するものであって、当業者は添付された請求項の範囲から逸脱することなく代替実施例を立案することが可能であろうことは留意されるべきである。請求項において、括弧の間に配置されたいずれの参照記号も該請求項を限定するものとして解釈されるべきではない。「有する（ｃｏｍｐｒｉｓｅ）」という語は、請求項に列記されていない要素又はステップの存在を除外するものではない。要素に先行する「１つの（ａ又はａｎ）」という語は、複数のかような要素の存在を除外するものではない。本発明は幾つかの別個の要素を有するハードウェアによって、及び適切なプログラムされたコンピュータによって実装されることができる。幾つかの手段を列挙しているユニットの請求項において、これらの手段の幾つかは１つの及び同一のハードウェアによって実施化されることができる。
【図面の簡単な説明】
【図１】本例における画像表示ユニットを模式的に示す。
【図２】８個のサブフィールドを持つフィールド周期を模式的に示す。
【図３】本発明の原理を示す。
【図４】画像表示装置の構成要素を示す。
【図５】１画面について、画像を訂正するために利用される場合のオペランドの粒度を示す。
【国際公開パンフレット】
2004519709.tif 000029
2004519709.tif 000030
2004519709.tif 000031
2004519709.tif 000032
2004519709.tif 000033
2004519709.tif 000034
2004519709.tif 000035
2004519709.tif 000036
2004519709.tif 000037
2004519709.tif 000038
2004519709.tif 000039
2004519709.tif 000040
2004519709.tif 000041
2004519709.tif 000042
2004519709.tif 000043
2004519709.tif 000044
2004519709.tif 000045
2004519709.tif 000046
【国際公開パンフレット（コレクトバージョン）】
2004519709.tif 000047
【国際公開パンフレット（コレクトバージョン）】
2004519709.tif 000048
【国際調査報告】
2004519709.tif 000049
2004519709.tif 000050
2004519709.tif 000051